(57)【要約】【課題】靴を履いている場合や靴を履かずに室内で使用する場合であっても、つま先を確実に保温する。【解決手段】つま先を覆う保温カバー本体２と、両端が保温カバー本体２の両側部に取付けられ、踵に巻かれる紐状部材３とを有し、保温カバー本体２は、外周側に位置する外層布帛４と、内周側に位置する内層布帛５と、外層布帛４と内層布帛５との間に位置して伸縮性と通気性とを有する保温層６とを備える。この保温層６を羽毛又は中綿により形成することで、つま先保温カバー１の軽量化を図ることができ、コンパクトに折り畳むことができる。また、紐状部材３を保温カバー本体２に対して着脱可能とすることにより、紐状部材３を保温カバー本体２から取外すことができ、靴を履いた場合でも窮屈な感じを与えることがない。【選択図】図３
2017141523.tif 000002
【特許請求の範囲】
【請求項１】
つま先を覆う保温カバー本体と、
両端が前記保温カバー本体の両側部に取付けられ、踵に巻かれる紐状部材と、
を有し、
前記保温カバー本体は、外周側に位置する外層布帛と、内周側に位置する内層布帛と、前記外層布帛と前記内層布帛との間に位置して伸縮性と通気性とを有する保温層とを備えることを特徴とするつま先保温カバー。
【請求項２】
前記保温層は、羽毛又は中綿により形成されていることを特徴とする請求項１記載のつま先保温カバー。
【請求項３】
前記紐状部材は、保温カバー本体に対して着脱可能に設けられていることを特徴とする請求項１又は２記載のつま先保温カバー。
【発明の詳細な説明】
【技術分野】
【０００１】
本発明は、つま先を保温するのに適したつま先保温カバーに関する。
【背景技術】
【０００２】
冬期などの気温が低い場合には足が冷えやすく、特に、つま先が冷えやすい。そこで、つま先を保温するためのつま先用靴下として、下記特許文献１に記載されたものが知られている。
【０００３】
特許文献１に記載されたつま先用靴下は、つま先を覆う部分が、内層と外層とその間に位置する非通気性シートとからなる三層構造とされている。内層と外層とは綿、アクリル、毛、ナイロン、ポリウレタン等からなる混紡糸を用いて編み上げて形成されている。非通気性シートは、ポリ塩化ビニル樹脂等の合成樹脂、ゴム等の天然樹脂を用いて形成されている。さらに、つま先用靴下がつま先から抜け落ちないようにするため、踵に係止する紐状部材が設けられている。
【先行技術文献】
【特許文献】
【０００４】
【特許文献１】特開平９−２１７２０４号公報
【発明の概要】
【発明が解決しようとする課題】
【０００５】
しかしながら、特許文献１に記載されたつま先用靴下は、混紡糸を用いた内層と外層及びその間に位置する非通気性シートから構成されており、非通気性シートには伸縮性がない。このため、つま先用靴下をつま先に装着した場合、つま先の甲の部分に対する内層表面の密着性が十分ではなく、保温性が低くなる。特に、このつま先用靴下を室内で使用して靴を履かない場合には、つま先用靴下に対して上方からの押付力が生じないために内層表面とつま先の甲の部分との間に隙間が生じ易く、より一層保温性が低くなる。
【０００６】
また、このつま先用靴下は、内層と外層との間に非通気性シートを有するので、つま先から発汗した汗が非通気性シートの内側に籠もりやすい。このため、つま先用靴下を装着して靴を履いた状態を長時間続けると、非通気性シートの内側に籠った汗が冷やされて冷たく感じる場合がある。
【０００７】
本発明は、このような課題を解決するためになされたもので、その目的は、靴を履いている場合や靴を履かない室内で使用する場合であっても、つま先を確実に保温することのできるつま先保温カバーを提供することにある。
【課題を解決するための手段】
【０００８】
本発明に係るつま先保温カバーは、つま先を覆う保温カバー本体と、両端が前記保温カバー本体の両側部に取付けられ、踵に巻かれる紐状部材とを有し、前記保温カバー本体は、外周側に位置する外層布帛と、内周側に位置する内層布帛と、前記外層布帛と前記内層布帛との間に位置して伸縮性と通気性とを有する保温層とを備えることを特徴とする。
【０００９】
また、前述のつま先保温カバーにおいて、前記保温層は、羽毛又は中綿により形成されていることが望ましい。
【００１０】
また、前述のつま先保温カバーにおいて、前記紐状部材は、保温カバー本体に対して着脱可能に設けられていることが望ましい。
【発明の効果】
【００１１】
本発明に係るつま先保温カバーによれば、つま先を覆う保温カバー本体は、外層布帛と内層布帛とその間に位置して伸縮性を有する保温層とを備えるので、保温カバー本体をつま先に装着した場合、靴を履かない場合でも靴を履いた場合でも、保温層が伸縮することにより内層布帛とつま先の甲の部分との密着性が高くなり、保温性が高くなる。さらに、この保温層は通気性を有するので、つま先が汗をかいた場合、その汗を外部に逃すことができ、汗が保温カバー本体内に籠もりにくく、籠もった汗が冷えて保温カバー本体内が冷たくなるということを防止することができる。また、紐状部材を踵に巻き付けることにより、保温カバー本体がつま先から脱落することを防止することができ、特に、つま先保温カバーを靴をはかない室内で使用する場合に有効である。
【００１２】
また、保温層が羽毛又は中綿により形成されていることにより、つま先保温カバーの軽量化を図ることができ、さらに、コンパクトに折り畳むことができて持ち運びに便利である。
【００１３】
また、紐状部材が保温カバー本体に対して着脱可能であるので、紐状部材を取外すことにより、靴を履いた場合でも窮屈な感じを与えることがない。
【図面の簡単な説明】
【００１４】
【図１】本発明の第１の実施形態のつま先保温カバーを示す斜視図である。
【図２】つま先保温カバーの平面図である。
【図３】つま先保温やカバーの断面側面図である。
【図４】本発明の第２の実施形態のつま先保温カバーを示す断面側面図である。
【図５】本発明の第３の実施形態のつま先保温カバーを示す平面図である。
【発明を実施するための形態】
【００１５】
（第１の実施形態）
本発明の第１の実施形態について、図１ないし図３に基づいて説明する。つま先保温カバー１は図１及び図２に示すように、つま先を覆う保温カバー本体２と、両端が保温カバー本体２の両側部に取付けられ、踵に巻かれる紐状部材３とを有している。保温カバー本体２への紐状部材３の取付けは、マジックテープ（登録商標）、ボタン、スナップボタンを用いて着脱可能とされている。また、紐状部材３は、全体または一部が伸縮性を有する伸縮部３ａにより形成されている。
【００１６】
保温カバー本体２は、上部側本体２ａと下部側本体２ｂとに分割して形成され、これらの上部側本体２ａと下部側本体２ｂとを縫製することにより保温カバー本体２が形成されている。上部側本体２ａと下部側本体２ｂとは、図３に示すように、それぞれ外周側に位置する外層布帛４と、内周側に位置する内層布帛５と、これらの外層布帛４と内層布帛５の間に位置して伸縮性と通気性を有する保温層６とを備えている。
【００１７】
外層布帛４、内層布帛５としては、ポリエステルやナイロン等の合繊織物、麻、木綿、フリース、パイル織物、またはこれらの素材の編物などが使用されている。
【００１８】
保温層６は、羽毛又は中綿により形成されている。
【００１９】
このような構成において、つま先を保温したい場合には、保温カバー本体２をつま先に装着し、紐状部材３を踵に巻き付ける。これにより、つま先に取付けられたつま先保温カバー１はつま先から外れにくく、つま先を保温することができる。
【００２０】
保温カバー本体２は、外層布帛４と内層布帛５、及び、これらの外層布帛４と内層布帛５の間に位置する羽毛又は中綿からなる保温層６を有し、保温層６は伸縮性と通気性とを有している。このため、保温カバー本体２をつま先に装着した場合、保温層６が伸縮することにより内層布帛５とつま先の甲の部分との密着性を高めることができ、つま先の保温性を高めることができる。特に、靴を履かない室内でつま先保温カバー１を使用した場合においても、内層布帛５とつま先の甲の部分との密着性を高めることができ、つま先の保温性を高めることができる。
【００２１】
さらに、保温層６は通気性を有するので、つま先が汗をかいた場合、その汗を外部に逃すことができる。これにより、汗が保温カバー本体２内に籠もりにくくなり、籠もった汗が冷えて保温カバー本体２内が冷たくなるということを防止できる。
【００２２】
また、羽毛又は中綿により形成されている保温層６は軽量であるので、つま先保温カバー１の軽量化を図ることができる。さらに、保温層６が伸縮性を有する羽毛又は中綿により形成されているつま先保温カバー１はコンパクトに折り畳むことができ、持ち運びに便利である。
【００２３】
保温カバー本体２への紐状部材３の取付けは着脱可能であるため、必要に応じて、例えば、足にフィットしたサイズの靴を履く場合には紐状部材３を取外すことができる。これにより、窮屈さを感じることなくつま先保温カバー１を使用することができる。
【００２４】
（第２の実施形態）
本発明の第２の実施形態を図４に基づいて説明する。なお、第１の実施形態で説明した構成要素と同じ構成要素には同じ符号を付け、重複する説明は省略する（以下の実施形態でも同じ）。
【００２５】
第２の実施形態のつま先保温カバー１１の基本的構成は第１の実施形態のつま先保温カバー１と同じであり、異なる点は、外層布帛１２と内層布帛１３との構成である。
【００２６】
第１の実施形態のつま先保温カバー１では、外層布帛４と内層布帛５とが一重の構造であったが、本実施の形態のつま先保温カバー１１では、外層布帛１２が表地１２ａと側地１２ｂとからなる二重構造であり、同様に、内層布帛１３が裏地１３ａと側地１３ｂとからなる二重構造とされている。外層布帛１２と内層布帛１３との間には、羽毛又は中綿からなる保温層６が設けられている。
【００２７】
このような構成において、本実施の形態のつま先保温カバー１１は、外層布帛１２と内層布帛１３とがそれぞれ二重構造であるので、つま先に対する保温効果をより一層高めることができる。
【００２８】
（第３の実施形態）
本発明の第３の実施形態を図５に基づいて説明する。第３の実施形態のつま先保温カバー２１の基本的構成は第１の実施形態のつま先保温カバー１と同じであり、異なる点は、つま先保温カバー２１の保温カバー本体２２にステッチ２３を設け、保温カバー本体２２の先端側を親指が入る領域と他の４指が入る領域とにステッチ２３により区分けした点である。
【００２９】
このような構成において、保温カバー本体２２の先端側をステッチ２３により親指が入る領域と他の４指が入る領域とを区分けすることにより、つま先に対するつま先保温カバー２１の装着性を安定させることができる。
【００３０】
なお、本実施形態では、１つのステッチ２３を設けて保温カバー本体２２の先端側を親指と他の４指が入る領域に区画した場合について説明したが、このようなステッチを４つ設け、保温カバー本体２２の先端側を各指が個々に入る５つの領域に区画してもよい。その場合には、つま先に対するつま先保温カバー２１の装着性をより一層安定させることかできる。
【符号の説明】
【００３１】
１    つま先保温カバー
２    保温カバー本体
２ａ  上部側本体
２ｂ  下部側本体
３  紐状部材
３ａ  伸縮部
４  外層布帛
５  内層布帛
６  保温層
１１  つま先保温カバー
１２  外層布帛
１３  内層布帛
２１  つま先保温カバー
２２  保温カバー本体
２３  ステッチ
【図１】
2017141523.tif 000003
【図２】
2017141523.tif 000004
【図３】
2017141523.tif 000005
【図４】
2017141523.tif 000006
【図５】
2017141523.tif 000007